(57)【要約】【課題】万が一、盗難や紛失等の非常事態に陥った場合に、書類に書き記された機密情報が他人に簡単に読み取られないようにする書類の機密保護装置を提供する。【解決手段】送受信部１０と、発泡性を有する不可視化物質４０が封入された密閉容器３６０と、発泡性不可視化物質４０の封止を解除する封止解除部２２と、送受信部１０からの命令によって封止解除部２２の解除を制御する制御部２０と、を備える、鞄７０に入れられた書類５０の機密を保護するための装置であって、当該装置を、機密情報を含む書類５０とともに鞄７０の中に入れておき、非常事態が発生したという非常事態信号を送受信部１０が受信すると、封止解除部２２が作動して、密閉容器内の発泡性不可視化物質４０が放出されることによって、機密情報を含む書類５０が不可視化物質４０の泡で覆われる。【選択図】図２
2007233806.tif 000002
【特許請求の範囲】
【請求項１】
送受信部と、
発泡性を有する不可視化物質が封入された密閉容器と、
発泡性不可視化物質の封止を解除する封止解除部と、
送受信部からの命令によって封止解除部の解除を制御する制御部と、を備える、鞄に入れられた書類の機密を保護するための装置であって、
当該装置を、機密情報を含む書類とともに鞄の中に入れておき、
非常事態が発生したという非常事態信号を送受信部が受信すると、封止解除部が作動して、密閉容器内の発泡性不可視化物質が放出されることによって、機密情報を含む書類が不可視化物質の泡で覆われることを特徴とする書類の機密保護装置。
【請求項２】
前記発泡性不可視化物質は、黒色の顔料又は染料を含んでいることを特徴とする、請求項１記載の書類の機密保護装置。
【請求項３】
前記密閉容器は、エアゾールタイプのものであることを特徴とする、請求項１記載の書類の機密保護装置。
【請求項４】
前記密閉容器は、二液から構成された発泡性不可視化物質が隔壁を介して配置したものであり、隔壁の破壊によって二液が混じりながら流出することを特徴とする、請求項１記載の書類の機密保護装置。
【請求項５】
前記送受信部は、携帯電話機を用いたものであることを特徴とする、請求項１記載の書類の機密保護装置。
【請求項６】
前記書類及び機密保護装置は、密閉袋の中に一緒に封入されていることを特徴とする、請求項１記載の書類の機密保護装置。
【請求項７】
アンサーバック機能をさらに備えることを特徴とする、請求項１記載の書類の機密保護装置。
【発明の詳細な説明】
【技術分野】
【０００１】
本発明は、万が一、機密情報が記載された書類が盗難や紛失等の非常事態に陥った場合に、当該書類に書き記された機密情報を保護するための書類の機密保護装置に関する。
【背景技術】
【０００２】
情報化社会の進展とともに、人間が取り扱う情報は、液晶ディスプレイ等の表示デバイスに表示されたり光や磁気を用いた電子情報記録媒体に記録されたりするように、電子化情報の形態であることが多くなっている。電子化情報においては、万が一、機密情報を含んだ電子情報記録媒体が盗難や紛失等の非常事態に陥った場合に、当該機密情報が他人に簡単に読み取れないようにする様々な仕組み、例えば、パスワードを用いた本人認証装置が用いられている（例えば、特許文献１を参照）。
【０００３】
これに対して、必要とする情報を紙に出力した形態で用いられることもしばしばである。ディスプレイ上に表示された電子化情報よりも、書類として紙に出力された紙出力情報は、一般に、人間にとって読みやすいこと、疲れにくいこと、自由な姿勢で読めること、何枚も同時に並べて見ることができること、必要に応じてどこにでも持って行けること等の利点を有している。情報を紙に出力した書類は、自由度が高いという利点を有している反面、万が一、盗難や紛失等の非常事態に陥った場合に、書類に書き記された機密情報が他人に簡単に読み取られてしまうという問題点を有している。
【０００４】
【特許文献１】特開２００４−１７８１１９号公報
【発明の開示】
【発明が解決しようとする課題】
【０００５】
したがって、本発明の解決すべき技術的課題は、万が一、盗難や紛失等の非常事態に陥った場合に、書類に書き記された機密情報が他人に簡単に読み取られないようにする書類の機密保護装置を提供することである。
【課題を解決するための手段及びその作用と効果】
【０００６】
上述の技術的課題を解決するために、本発明に係る書類の機密保護装置は、以下の特徴を有する。
【０００７】
すなわち、本発明に係る書類の機密保護装置は、
送受信部と、
発泡性を有する不可視化物質が封入された密閉容器と、
発泡性不可視化物質の封止を解除する封止解除部と、
送受信部からの命令によって封止解除部の解除を制御する制御部と、を備える、鞄に入れられた書類の機密を保護するための装置であって、
当該書類の機密保護装置を、機密情報を含む書類とともに鞄の中に入れておき、
非常事態が発生したという非常事態信号を送受信部が受信すると、封止解除部が作動して、密閉容器内の発泡性不可視化物質が放出されることによって、機密情報を含む書類が不可視化物質の泡で覆われることを特徴とする。
【０００８】
上記構成の書類の機密保護装置によれば、万が一、機密情報が記載された書類が盗難や紛失等の非常事態に陥った場合に、所有者が非常事態発生の信号を送信すると、当該信号を送受信部で受信し、制御部が封止解除部の作動を制御しながら、密閉容器内に封入されていた発泡性不可視化物質の封止が解除されて放出される。容器から放出される発泡性不可視化物質は、泡の形態で放出されるものであるか、又はミスト状に放出されたあとに発泡するもののいずれであってもよい。機密保護装置とともに鞄の中に入れられた機密情報を含む書類が、不可視化物質の泡によって覆われて、書類全体が不可視化される。書類全体の不可視化によって、機密情報が書き記された部分も不可視化される。したがって、万が一、盗難や紛失等の非常事態に陥った場合であっても、書類に書き記された機密情報が他人に簡単に読み取られないようにすることができる。ここで、泡状の不可視化物質を用いているのは、液状で用いる場合よりも少量でその効果を発揮するからである。したがって、当該装置を鞄の中に入れておいても持ち歩きに邪魔にならないような小型サイズとすることができる。
【０００９】
発泡性を有する不可視化物質は、書類を真っ黒にして不可視化するための材料として、黒色の顔料又は染料を含んでいる。黒色染料としては、ジスアゾ染料、金属含有アゾ染料、アントラキノン染料、モノアゾ染料、ヒドロオキシケトン染料、硫化染料等が具体的に例示され、黒色顔料としては、松煙油煙などのすすを原料とした墨、カーボンブラック、黒鉛、鉄黒、硫化ニッケル、硫化銅、硫化銀、硫化鉛等が具体的に例示される。なお、発泡性を有する不可視化物質として、自動車の座席シートやマットレス等のクッション材に使用されている、ポリオールやポリイソシアネートを主成分として、発泡剤や整泡剤や触媒を混合することによって泡状に固化する軟質ウレタンフォーム等も使用することができる。泡状に固化した軟質ウレタンフォーム等によって書類同士が接着して書類中の機密情報を読み取ることができなくなる。もちろん、軟質ウレタンフォーム等の中に上述した黒色の顔料又は染料を含ませておくことが好ましいことは言うまでもない。
【００１０】
本発明に係る装置は、鞄の中に入れて使用するものであり、発泡性不可視化物質が不用意に放出されないように、容器は密閉構造をしている。密閉容器は、エアゾールタイプのものである。エアゾールとは、黒色の顔料又は染料や界面活性剤や水等を含む原液とともに、噴射剤としての液化ガスを耐圧容器に充填したものや、黒色の顔料又は染料とゲル化剤と界面活性剤との混合物に、イソペンタン等の発泡剤を可溶化させたジェル剤を二重構造耐圧容器の内袋に充填し、内袋と外缶との間に圧縮ガスを封入したものである。エアゾールタイプの密閉容器において、封止解除部が作動すると、密閉容器の噴出ノズルから発泡性不可視化物質が噴出される。
【００１１】
あるいは、密閉容器は、二液から構成された発泡性不可視化物質が隔壁を介して配置したものであり、隔壁の破壊によって二液が混じりながら流出するように構成することができる。例えば、Ａ液は、炭酸水素ナトリウムを主成分とし起泡剤等を添加した液であり、Ｂ液は、硫酸アンモ二ウムの水溶液であり、少なくとも一方の液に、上述した黒色の顔料又は染料が含まれている。封止解除部の作動で隔壁が破壊されることによって、二液が化学反応して、発泡性不可視化物質を含んだ泡を放出することができる。
【００１２】
盗難や紛失等に遭ったということは、書類の入った鞄が今どこにあるかということが所有者には不明であることを意味する。すなわち、書類の入った鞄が、送受信部と交信できない遠方にあったり、近方にあっても交信電波の届きにくい場所にあったりすることも想定される。そこで、送受信部は、網の目のように交信エリアが張り巡らされていて交信しやすい携帯電話機であることが好適である。
【００１３】
鞄の中には、書類以外の物品（例えば、財布や手帳や定期入れ等）が入れられているのが通常である。いくら非常事態とはいえ、泡状の不可視化物質の放出によって書類以外の物品も同時に台無しになってしまう。泡状の不可視化物質の放出ができるだけ他に影響を及ぼさないように、書類及び機密保護装置は、密閉袋の中に一緒に封入されていることが好ましい。
【００１４】
重要な書類の機密保護という装置の性格上、所有者は装置が正常に作動したか否かを知りたくなるものであるから、好ましくは、装置が正常に作動したことを直ちに所有者に知らせるいわゆるアンサーバック機能を備えている。
【発明を実施するための最良の形態】
【００１５】
以下に、本発明の第一実施形態に係る書類の機密保護装置１を、図１及び２を参照しながら詳細に説明する。
【００１６】
以下に説明する書類の機密保護装置１は、他人に知られたくない機密情報やマル秘情報が紙に印刷出力されたものや紙に手書きされたものを対象として用いられるものである。
【００１７】
図１に示すように、書類の機密保護装置１は、送受信部１０と、密閉容器３０と、発泡性不可視化物質４０と、ロック解除部２２と、制御部２０と、を備えている。
【００１８】
送受信部１０は、アンテナ１２を介して、所有者が使用する外部送信手段（例えば、固定電話機や携帯電話機やＰＨＳ電話機）と交信するためのものであり、例えば携帯電話機が好適に用いられる。すなわち、書類の入った鞄７０が、送受信部１０と交信できない遠方にあったり、近方にあっても交信電波の届きにくい場所にあったりすることも想定される。そこで、送受信部１０は、網の目のように交信エリアが張り巡らされていて交信しやすい携帯電話機であることが好適である。もちろん、ＰＨＳ受信機や専用の小型受信機等の他の交信手段も使用可能であることは言うまでもない。
【００１９】
密閉容器３０は、金属製又は樹脂製の円筒缶（例えば、ペンシルサイズが好適である）や多層ラミネートの袋体やチューブから構成された容器ボディ３２を備えて、発泡性を有する不可視化物質４０が内部に封入されている。容器ボディ３２の一端には噴出ノズル３４が設けられている。発泡性不可視化物質４０が不用意に放出されないように、容器３０は密閉構造をしているとともに、噴出ノズル３４から発泡性不可視化物質４０が不用意に噴出しないようにロック部材を備えている。図１及び２に示した密閉容器３０は、エアゾールタイプのものである。エアゾールとは、黒色の顔料又は染料や界面活性剤や水等を含む原液とともに、噴射剤としての液化ガスを耐圧容器に充填したものや、黒色の顔料又は染料とゲル化剤と界面活性剤との混合物に、イソペンタン等の発泡剤を可溶化させたジェル剤を二重構造耐圧容器の内袋に充填し、内袋と外缶との間に圧縮ガスを封入したものである。エアゾールタイプの密閉容器３０において、ロック解除部２２が作動すると、密閉容器３０の噴出ノズル３４から発泡性不可視化物質４０が噴出されるように構成されている。
【００２０】
ロック解除部２２は、発泡性不可視化物質４０の封止を解除するためのものであり、具体的には、小型モータ等の動力によって、噴出ノズル３４の途中に設けられたロック部材を移動させてロック部材のロック状態を解除する。
【００２１】
マイクロコンピュータからなる制御部２０は、送受信部１０で受信したロック解除命令（非常事態が発生したという非常事態信号）に基づいてロック解除部２２を作動させるものである。
【００２２】
発泡性を有する不可視化物質４０は、書類５０を真っ黒にして不可視化するための物質であって、黒色の顔料又は染料を含んでいる液状体又はゲル状体である。黒色染料としては、ジスアゾ染料、金属含有アゾ染料、アントラキノン染料、モノアゾ染料、ヒドロオキシケトン染料、硫化染料等が具体的に例示され、黒色顔料としては、松煙油煙などのすすを原料とした墨、カーボンブラック、黒鉛、鉄黒、硫化ニッケル、硫化銅、硫化銀、硫化鉛等が具体的に例示される。なお、発泡性を有する不可視化物質４０として、自動車の座席シートやマットレス等のクッション材に使用されている、ポリオールやポリイソシアネートを主成分として、発泡剤や整泡剤や触媒を混合することによって泡状に固化する軟質ウレタンフォーム等も使用することができる。泡状に固化した軟質ウレタンフォーム等によって書類５０同士が接着して書類５０中の機密情報を読み取ることができなくなる。もちろん、軟質ウレタンフォーム等の中に上述した黒色の顔料又は染料を含ませておくことが好ましいことは言うまでもない。
【００２３】
次に、図１に示した書類の機密保護装置１の使用形態について、図２を参照しながら説明する。
【００２４】
書類の機密保護装置１は、機密情報を含む書類５０とともに鞄７０の中に入れられる。鞄７０の中には、書類以外の物品（例えば、財布や手帳や定期入れ等）が入れられているのが通常である。泡状の不可視化物質４０の放出ができるだけ他に影響を及ぼさないように、書類５０及び機密保護装置１は、密閉袋６０の中に一緒に封入された状態で鞄７０の中に入れられることが好ましい。
【００２５】
機密情報の記載された書類５０が盗難や紛失等に遭遇したという非常事態になると、所有者は、外部送信手段（例えば、固定電話機や携帯電話機やＰＨＳ電話機）によって、非常事態が発生したという非常事態信号を発する。非常事態信号を送受信部１０が受信すると、ロック解除部２２の解除を行わせるような制御を制御部２０が行う。ロック解除部２２が解除されると、密閉容器３０内に封止されていた発泡性不可視化物質４０（例えば、真っ黒な物質）が噴射ノズル３４から放出される。発泡性不可視化物質４０は、泡の形態で放出されるか、又はミスト状に放出されたあとに発泡する。不可視化物質４０の泡が、機密情報を含む書類５０を覆って不可視化物質４０が書類５０に浸透する。その結果、書類５０全体が不可視化される（例えば、真っ黒になる）。書類５０全体の不可視化によって、機密情報が書き記された部分も不可視化される。したがって、万が一、盗難や紛失等の非常事態に陥った場合であっても、書類５０に書き記された機密情報が他人に簡単に読み取られないようにすることができる。
【００２６】
次に、本発明の第二実施形態に係る書類の機密保護装置１を、図３及び４を参照しながら詳細に説明する。
【００２７】
書類の機密保護装置１は、上述した第一実施形態の装置と比較して基本的な構成は同じであるが、密閉容器３０の構成が、第一実施形態のものと相違している。
【００２８】
すなわち、図３に示すように、密閉容器３０は、Ａ液及びＢ液という二液から構成された発泡性不可視化物質４０が隔壁３７を介して配置したものであり、隔壁３７の破壊によって二液が混じりながら流出するように構成されている。例えば、Ａ液収納ボディ３５に収納されたＡ液は、炭酸水素ナトリウムを主成分とし起泡剤等を添加した液であり、Ｂ液収納ボディ３６に収納されたＢ液は、硫酸アンモ二ウムの水溶液であり、少なくとも一方の液に、上述した黒色の顔料又は染料が含まれている。封止解除部２５の作動で隔壁３７が破壊されることによって、二液が化学反応して、発泡性不可視化物質４０を含んだ泡を放出する。
【００２９】
封止解除部としての隔壁破壊部２２は、隔壁３７を破壊することによって発泡性不可視化物質４０の封止を解除するためのものである。例えば、小型モータ等の動力で突出する針状体が隔壁３７を突き刺すことによって、Ａ液及びＢ液を隔てていた隔壁３７を破壊して流出した二液が化学反応して、発泡性不可視化物質４０を含んだ泡を放出するというものである。あるいは、弾性部材で付勢された針状体を一時的にロック固定していたロック部材を小型モータ等の動力で駆動することによって、針状体が隔壁３７を突き刺すように構成することもできる。
【００３０】
機密情報の記載された書類５０が盗難や紛失等に遭遇した非常事態になると、所有者は、外部送信手段（例えば、固定電話機や携帯電話機やＰＨＳ電話機）によって、非常事態が発生したという非常事態信号を発する。図４に示すように、非常事態信号を送受信部１０が受信すると、隔壁破壊部２５が隔壁３７を破壊するような制御を制御部２０が行う。隔壁破壊部２５で隔壁３７が破壊されると、Ａ液収納ボディ３５に収納されていたＡ液と、Ｂ液収納ボディ３６に収納されていたＢ液とが混合しながら流出する。流出したＡ液及びＢ液は、化学反応して発泡する。Ａ液及びＢ液の少なくとも一方に含まれている不可視化物質４０（例えば、真っ黒な物質）の泡が、機密情報を含む書類５０を覆って、不可視化物質４０が書類５０に浸透する。その結果、書類５０全体が不可視化される（例えば、真っ黒になる）。書類５０全体の不可視化によって、機密情報が書き記された部分も不可視化される。したがって、万が一、盗難や紛失等の非常事態に陥った場合であっても、書類５０に書き記された機密情報が他人に簡単に読み取られないようにすることができる。
【００３１】
なお、上述した実施形態の書類の機密保護装置１は、当該装置が正常に作動したことを直ちに所有者に知らせるいわゆるアンサーバック機能を搭載することもできる。すなわち、封止解除部２２，２５が作動したという解除完了信号を発したり、不可視化物質４０の泡が放出されたことを検出するセンサ（例えば、水分センサや圧力センサ）を設けてそのセンサからの泡検出信号を発したりするようにする。そして、これらの信号は、制御部２０によって作動完了信号に変換されたあと送受信部１０から不可視化作業完了情報が発信され、不可視化作業の完了をメールや音声や音やアイコン等の様々な形態で所有者に知らせるようにするものである。その結果、所有者は、装置１が正常に作動して書類５０が不可視化されたという安心感を得ることができる。
【図面の簡単な説明】
【００３２】
【図１】本発明に係る書類の機密保護装置の第一実施形態の主たる構成を示す図である。
【図２】図１に示した書類の機密保護装置によって機密情報を消去する様子を模式的に説明する図である。
【図３】本発明に係る書類の機密保護装置の第二実施形態の主たる構成を示す図である。
【図４】図３に示した書類の機密保護装置によって機密情報を消去する様子を模式的に説明する図である。
【符号の説明】
【００３３】
１  書類の機密保護装置
５  携帯電話（外部送信手段）
１０  送受信部
１２  アンテナ
２０  制御部
２２  ロック解除部（封止解除部）
２５  隔壁破壊部（封止解除部）
３０  密閉容器
３２  容器ボディ
３４  噴出ノズル
３５  Ａ液収納ボディ
３６  Ｂ液収納ボディ
３７  隔壁
４０  発泡性不可視化物質
５０  機密情報を含む書類
６０  密閉袋
７０  鞄
【図１】
2007233806.tif 000003
【図２】
2007233806.tif 000004
【図３】
2007233806.tif 000005
【図４】
2007233806.tif 000006